(57)【要約】【課題】本発明はコネクタへの被水を確実に防止でき、アッパーカバーの構造を簡単にし、かつアッパーカバーの開閉時に変形や破損のおそれのない電気接続箱を提供する。【解決手段】本電気接続箱１では、アッパーカバー３の側壁部３ｂの内側面における第１の当接面３ｄ、第２の当接面３ｅ及び第３の当接面３ｆを形成する位置及びその近傍は、平坦面又は湾曲面で形成されている。コネクタホルダ５の外周部５ｂの内側には所定間隔を隔てて保護壁６が形成されており、保護壁６は、複数のコネクタ３を全体的に取り囲むように配置されている。ロアカバー２の所定の基準地点Ｋから第１の当接面３ｄまでの高さをＨ１、第２の当接面３ｅまでの高さをＨ２、第３の当接面３ｆまでの高さをＨ３、保護壁６の先端までの高さをＨ４とした場合に、Ｈ４＞Ｈ３＞Ｈ２＞Ｈ１の関係を満たすように構成されている。【選択図】図１
2008236847.tif 000002
【特許請求の範囲】
【請求項１】
ロアカバーと、当該ロアカバーに設けられ、コネクタを保持するコネクタホルダと、当該コネクタホルダを収容するように前記ロアカバーに結合されるアッパーカバーとを有する電気接続箱において、
前記アッパーカバーには、前記ロアカバーに当接する第１の当接面と、前記コネクタホルダの外周部に側方に突出して形成されたリブに当接する第２の当接面と、前記コネクタホルダの外周部の先端に当接する第３の当接面とが形成され、
前記アッパーカバーの内側面における前記第１の当接面、第２の当接面及び第３の当接面を形成する位置及びその近傍は、平坦面又は湾曲面で形成され、
前記コネクタホルダの外周部の内側に所定間隔を隔てて保護壁が形成され、当該保護壁は、複数の前記コネクタを全体的に取り囲むように配置され、
前記ロアカバーの所定の基準地点から前記第１の当接面までの高さをＨ１、前記第２の当接面までの高さをＨ２、前記第３の当接面までの高さをＨ３、前記保護壁の先端までの高さをＨ４とした場合に、Ｈ４＞Ｈ３＞Ｈ２＞Ｈ１の関係を満たす、
ことを特徴とする電気接続箱。
【発明の詳細な説明】
【技術分野】
【０００１】
本発明は、電気接続箱に関し、特に、内部に収容されたコネクタへの被水を防止する構造を備えた電気接続箱に関する。
【背景技術】
【０００２】
一般に、自動車等の車両においては、コネクタ等の部品を収容するために電気接続箱が用いられている。
【０００３】
電気接続箱は、エンジンルームや車体の下方側部に配置されている場合が多く、激しい雨が降った場合や高圧洗浄水で洗浄した場合等には、電気接続箱の内部に水が浸入することがある。電気接続箱内に水が溜まると、部品が短絡したり、リーク電流が流れるおそれがあり、誤動作の原因になるとともに、部品の溶損等の原因にもなる。
【０００４】
そこで、従来から、内部への浸水を防止する防水構造を備えた電気接続箱が提案されている。
【０００５】
例えば、特許文献１には、箱本体と防水カバーを嵌合させて構成された電気接続箱において、防水カバーの周縁部は多重壁により構成された溝枠を有し、箱本体の周縁部は多重壁により構成された溝枠を有し、該溝枠は外部に排水する水抜き穴を有し、箱本体の壁端は防水カバーの溝枠と嵌合し、防水カバーの壁端は箱本体の溝枠と嵌合している電気接続箱が提案されている（以下、この技術を従来例１という）。
【０００６】
また、特許文献２には、下部ケースに上部ケースを内嵌して組み付けてバスバー等の内部回路を収容する本体ケースを形成し、該本体ケースに上部カバーを被せ、該上部カバーの周壁を下部ケースの周壁に外嵌して組み付けている電気接続箱において、上記上部カバーの周壁下部を外側に屈曲させて複数段の逆Ｌ字の嵌合部を形成する一方、上記下部ケースの周壁上部に階段状の突起部からなる被嵌合部を形成し、上記嵌合部を被嵌合部に嵌合させて、上部カバーと下部ケースとの間に防水シール部を形成すると共に、上記下部ケースの周壁内面に沿って位置する上部ケースの全周壁の上端より、上記上部カバーの嵌合部の内側下面に当接するリブを突設し、上部カバーと上部ケースとの間にも防水シール部を形成している電気接続箱の防水構造が提案されている（以下、この技術を従来例２という）。
【特許文献１】実開平５−６２１２５号公報
【特許文献２】特開２０００−４５２１号公報
【発明の開示】
【発明が解決しようとする課題】
【０００７】
従来例１では、箱本体の壁端が防水カバーの溝枠と嵌合し、防水カバーの壁端が箱本体の溝枠と嵌合する防水構造が用いられているが、振動等によって、水が上記の防水構造を通り抜けやすく、電気接続箱の内部に浸水して、コネクタ等に被水するおそれがあるという課題があった。
【０００８】
また、防水カバーの周縁部が二重の壁端からなるので、構造が複雑になるとともに、防水カバーの開閉時に、内側の側端が他の部材と干渉して変形したり破損しやすいという課題があった。
【０００９】
従来例２では、上部カバーに高さの異なる複数の当接面を形成した防水構造が用いられているが、従来例１と同様に、振動等によって、水が上記の防水構造を通り抜けやすく、電気接続箱の内部に浸水して、コネクタ等に被水するおそれがあるという課題があった。
【００１０】
また、上部カバーの周壁の下面には、上部ケースに設けられたリブと当接する内周壁が突出して設けられているので、構造が複雑になるとともに、上部カバーの開閉時に、内周壁が他の部材と干渉して変形したり破損しやすいという課題があった。
【００１１】
本発明は、上記課題を解決するためになされたものであり、コネクタへの被水を確実に防止でき、アッパーカバーの構造を簡単にし、かつアッパーカバーの開閉時に変形や破損のおそれのない電気接続箱を提供することを目的とする。
【課題を解決するための手段】
【００１２】
本発明の電気接続箱は、ロアカバーと、当該ロアカバーに設けられ、コネクタを保持するコネクタホルダと、当該コネクタホルダを収容するように前記ロアカバーに結合されるアッパーカバーとを有する電気接続箱において、前記アッパーカバーには、前記ロアカバーに当接する第１の当接面と、前記コネクタホルダの外周部に側方に突出して形成されたリブに当接する第２の当接面と、前記コネクタホルダの外周部の先端に当接する第３の当接面とが形成され、前記アッパーカバーの内側面における前記第１の当接面、第２の当接面及び第３の当接面を形成する位置及びその近傍は、平坦面又は湾曲面で形成され、前記コネクタホルダの外周部の内側に所定間隔を隔てて保護壁が形成され、当該保護壁は、複数の前記コネクタを全体的に取り囲むように配置され、前記ロアカバーの所定の基準地点から前記第１の当接面までの高さをＨ１、前記第２の当接面までの高さをＨ２、前記第３の当接面までの高さをＨ３、前記保護壁の先端までの高さをＨ４とした場合に、Ｈ４＞Ｈ３＞Ｈ２＞Ｈ１の関係を満たすことを特徴とするものである。
【発明の効果】
【００１３】
本発明の電気接続箱によれば、アッパーカバーの第１の当接面の隙間から浸入した水が、第２の当接面、第３の当接面及びコネクタホルダの外周部を乗り越えた場合であっても、コネクタホルダの外周部の内側に所定間隔を隔てて形成され、第１の当接面、第２の当接面及び第３の当接面よりも高い保護壁によって突き当たり排水されるので、コネクタへの被水を確実に防止できる。
【００１４】
また、１つの保護壁により複数のコネクタを全体的に取り囲んでいるので、小型化を図ることができるとともに、構造が簡略化され、製造が容易になる。
【００１５】
さらに、アッパーカバーの内壁面における第１の当接面、第２の当接面及び第３の当接面を形成する位置及びその近傍は、平坦面又は湾曲面で形成されているので、従来のように下側に突出した内周壁が存在せず、簡単な形状になるとともに、アッパーカバーの開閉時に、他の部材と干渉することがないので、変形や破損のおそれがない。
【発明を実施するための最良の形態】
【００１６】
以下、本発明の実施の形態について図面を参照して説明する。図１は本発明の実施形態例に係る電気接続箱の一部を示す断面図、図２は本発明の実施形態例に係る電気接続箱を示す斜視図、図３（Ａ）は本発明の実施形態例に係る電気接続箱のロアカバーを示す平面図、（Ｂ）はその側面図である。
【００１７】
図１〜図３に示すように、本発明の実施形態例に係る電気接続箱１は、ロアカバー２と、ロアカバー２上に被せられるアッパーカバー３とを有する。
【００１８】
ロアカバー２は、底壁部２ａと、その底壁部２ａの周囲に立設された側壁部２ｂとからなり、内部にコネクタ４を保持するコネクタホルダ５が収容されている。ロアカバー２の側壁部２ｂには、ロック枠２ｃが設けられている。
【００１９】
アッパーカバー３は、上壁部３ａと、その上壁部３ａの周囲に立設された側壁部３ｂとからなる。アッパーカバー３の側壁部３ｂには、ロアカバー２のロック枠２ｃ内で係止されるロック爪３ｃが設けられ、これによって、アッパーカバー３をロアカバー２に結合することができる。
【００２０】
図１に示すように、アッパーカバー３の側壁部３ｂには、ロアカバー２の外周面に当接する略平坦面又は略湾曲面からなる第１の当接面３ｄと、コネクタホルダ５の外周部５ｂに側方に突出して形成されたリブ５ａに当接する略逆Ｌ字状に形成された第２の当接面３ｅと、コネクタホルダ５の外周部５ｂの先端に当接する略逆Ｌ字状に形成された第３の当接面３ｆとがそれぞれ形成されている。
【００２１】
アッパーカバー３の側壁部３ｂの内側面における第１の当接面３ｄ、第２の当接面３ｅ及び第３の当接面３ｆを形成する位置及びその近傍は、平坦面又は湾曲面で形成されている。
【００２２】
コネクタホルダ５の外周部５ｂの内側には所定間隔を隔てて保護壁６が形成されており、保護壁６は、複数のコネクタ３を全体的に取り囲むように配置されている（図２、図３（Ａ）参照）。
【００２３】
ここで、ロアカバー２の所定の基準地点Ｋから第１の当接面３ｄまでの高さをＨ１、第２の当接面３ｅまでの高さをＨ２、第３の当接面３ｆまでの高さをＨ３、保護壁６の先端までの高さをＨ４とした場合に、Ｈ４＞Ｈ３＞Ｈ２＞Ｈ１の関係を満たすように構成されている。例えば、Ｈ１＝６ｍｍ、Ｈ２＝１９ｍｍ、Ｈ３＝３１ｍｍ、Ｈ４＝３９ｍｍである。
【００２４】
本発明の実施形態例に係る電気接続箱１によれば、アッパーカバー３の第１の当接面３ｄの隙間から浸入した水が、図１の矢印に示すように、第２の当接面３ｅ、第３の当接面３ｆ及びコネクタホルダ５の外周部５ｂを乗り越えた場合であっても、コネクタホルダ５の外周部５ｂの内側に所定間隔を隔てて形成され、第１の当接面３ｄ、第２の当接面３ｅ及び第３の当接面３ｆよりも高い保護壁６によって突き当たり、保護壁６とコネクタホルダ５の外周部５ｂとの間に形成された排水用空間部５ｃを通って排水される。その結果、コネクタ４への被水を確実に防止できる。
【００２５】
また、１つの保護壁６により複数のコネクタ４を全体的に取り囲んでいるので、小型化を図ることができるとともに、構造が簡略化され、製造が容易になる。
【００２６】
さらに、アッパーカバー３の内壁面における第１の当接面３ｄ、第２の当接面３ｅ及び第３の当接面３ｆを形成する位置及びその近傍は、平坦面又は湾曲面で形成されているので、従来のように下側に突出した内周壁が存在せず、簡単な形状になるとともに、アッパーカバー３の開閉時に、他の部材と干渉することがないので、変形や破損のおそれがない。
【００２７】
本発明は、上記実施の形態に限定されることはなく、特許請求の範囲に記載された技術的事項の範囲内において、種々の変更が可能である。
【産業上の利用可能性】
【００２８】
本発明は、自動車等の車両に搭載される電気接続箱１の内部に収容されたコネクタ４への被水を防止するために用いられる。
【図面の簡単な説明】
【００２９】
【図１】本発明の実施形態例に係る電気接続箱の一部を示す断面図である。
【図２】本発明の実施形態例に係る電気接続箱を示す斜視図である。
【図３】（Ａ）は本発明の実施形態例に係る電気接続箱のロアカバーを示す平面図、（Ｂ）はその側面図である。
【符号の説明】
【００３０】
１：電気接続箱
２：ロアカバー
３：アッパーカバー
３ｄ：第１の当接面
３ｅ：第２の当接面
３ｆ：第３の当接面
４：コネクタ
５：コネクタホルダ
５ａ：リブ
５ｂ：外周部
６：保護壁
【図１】
2008236847.tif 000003
【図２】
2008236847.tif 000004
【図３】
2008236847.tif 000005